(57)【特許請求の範囲】
【請求項１】
発振トランスと、前記発振トランスの１次巻線側に接続されたスイッチ素子と、前記発振トランスの２次巻線側に接続されたコンデンサを備え、前記スイッチ素子が前記１次巻線側又は前記２次巻線側に流れる電流の値に応じてオンとオフを繰り返すことで、電池電圧の昇圧を行って前記コンデンサに充電を行い、前記電池として１次電池と２次電池を選択的に使用可能な電子機器において、
使用される電池の種類を判別する電池判別手段と、
前記電池判別手段の判別結果に応じて、前記スイッチ素子のオンとオフを切り換えるために要する前記電流の値を制限する電流制限手段の作動と非作動とを切り換える電流切換手段とを有し、
前記電流制限手段は、使用される電池が２次電池である場合に、１次電池である場合と比較して、前記スイッチ素子のオンとオフの繰り返しの周期が短くなるように前記スイッチ素子のオンとオフが切り換わるために要する前記電流の値を制限することを特徴とする電子機器。
【請求項２】
前記電流制限手段は、前記スイッチ素子の制御端子に接続され、前記２次巻線から前記コンデンサに供給される電流の値に応じてオンとオフを切り換えるトランジスタを有し、
前記電流切換手段は、前記電池判別手段により、使用される電池が２次電池であると判別された場合に、前記トランジスタを作動させることを特徴とする請求項１に記載の電子機器。
【請求項３】
前記電流制限手段は、前記電池電圧に応じた電圧値と基準値を比較するコンパレータと、前記コンパレータに接続された抵抗と、前記抵抗に接続されたトランジスタを有し、
前記電流切換手段は、前記電池判別手段により、使用される電池が２次電池であると判別された場合に、前記トランジスタを作動させて前記抵抗にて前記電池電圧を分圧することを特徴とする請求項１に記載の電子機器。
【請求項４】
請求項１から３のいずれか１つに記載の電子機器が、ストロボ装置であって、
前記コンデンサの充電電圧を用いて発光する放電管を有することを特徴とするストロボ装置。
【発明の詳細な説明】
【０００１】
【発明の属する技術分野】
本発明は、電池を用いるカメラ等の電子機器に関し、さらにはカメラ用ストロボ装置に関するものである。
【０００２】
【従来の技術】
最近、カメラの電源としては、リチウム電池が一般的に使用されている。リチウム電池は電池自体の自己放電が少なく、カメラのようにある機会に集中して使用され、次の機会まである程度の期間使用されないような電子機器には適当な電池である。
【０００３】
また、銀塩フィルムを使用しないカメラ、例えば、撮像素子であるＣＣＤなどを撮像媒体とするＶＴＲやデジタルカメラ等の電子機器では、一般に、ニッケルカドミウム電池（Ｎｉ−Ｃｄ電池）等の充電可能な２次電池が使用される。Ｎｉ−Ｃｄ電池は充電状態で長期間放置されると、充電された電荷が出て来なくなるメモリー効果や自己放電が大きいという問題を有するため、充電した電荷を短期間で使用してしまうＶＴＲやデジタルカメラ等には適当であるが、銀塩カメラ等においては主電源としては普及せず、ストロボ装置やモータードライブ装置への副電源として使用されているのが現状である。
【０００４】
【発明が解決しようとする課題】
ところで、最近ではＮｉ−Ｃｄ電池と同様に２次電池であるリチウムイオン電池を採用する電子機器が増えてきている。この電池は、Ｎｉ−Ｃｄ電池に比べて自己放電が少なく、またメモリー効果もないことから、充電状態で長期保存が可能であり、バックアップ電池としても使い勝手が良く、携帯電話、ＶＴＲ、デジタルカメラ等の電源としても搭載される。
【０００５】
リチウムイオン電池は、Ｎｉ−Ｃｄ電池に対して上記メリットを有するが、反面デメリットとして、過充電に弱く、また過放電では電池として機能しなくなる等の問題がある。このためストロボ装置等の電流消費の大きな装置では、これらの問題の対策として幾つもの安全回路が必要となる。
【０００６】
例えば、リチウムイオン電池のフル充電電圧は１セル当り約４Ｖ程度であり、過放電防止回路の作動電圧は約２．５Ｖ程度である。一般的なストロボ装置を、このリチウムイオン電池で使用すると、電池電圧がストロボの大電流消費により上記過放電防止回路の検出電圧以下に低下し、電池の出力が遮断されてしまう不都合が生じる。
【０００７】
また、大電流を連続して使用する場合でも、ポリスイッチと呼ばれるＰＴＣ素子の抵抗増加により電流が制限される不都合が生じるため、ストロボ装置の昇圧回路への電流供給に対して電流を制限する回路等が必要となる。
【０００８】
さらに、携帯機器では、複数の電源を利用出来ることが望ましく、カメラにおいては、例えば、１次電池の単三型アルカリマンガン電池とリチウム電池とを選択的に使用可能なものも製品化されている。
【０００９】
また、リチウム１次電池と、充電可能なリチウムイオン電池などの２次電池の使用を選択可能なストロボ装置を含むカメラにおいては、１次電池を使用する場合に、２次電池を使用するために必要な電流制限回路によって１次電池の充電性能が低下させられてしまうという問題がある。
【００１０】
【課題を解決するための手段】
上記の問題等を解決するために、本発明では、発振トランスと、発振トランスの１次巻線側に接続されたスイッチ素子と、発振トランスの２次巻線側に接続されたコンデンサを備え、スイッチ素子が１次巻線側又は２次巻線側に流れる電流の値に応じてオンとオフを繰り返すことで、電池電圧の昇圧を行ってコンデンサに充電を行い、電池として１次電池と２次電池を選択的に使用できるストロボ装置等の電子機器において、使用される電池の種類を判別する電池判別手段と、この電池判別手段の判別結果に応じて、スイッチ素子のオンとオフを切り換えるために要する電流の値を制限する電流制限手段の作動と非作動とを切り換える電流切換手段とを有し、電流制限手段は、使用される電池が２次電池である場合に、１次電池である場合と比較して、スイッチ素子のオンとオフの繰り返しの周期が短くなるようにスイッチ素子のオンとオフが切り換わるために要する電流の値を制限することを特徴とする。
【００１３】
そして、本発明では、上記のような構成により、２次電池を使用する場合に、電池からの供給電流の制限により、過放電によって電池出力が遮断されてしまうのを防止するとともに、１次電池を使用する場合に、２次電池使用時に有効な電流制限機能により１次電池の充電性能等を低下させてしまうのを防止して、使い勝手の良いストロボ装置等の電子機器を実現している。
【００１４】
【発明の実施の形態】
（第１実施形態）
図１には、本発明の第１実施形態であるストロボ装置を備えたカメラの電気的構成を示す。この図において、１は電源となる電池、２は電源回路を示す。これら電源電池１および電源回路２はそれぞれ後述の回路ブロックに、ロジック系電源やリニア制御系電源および基準電圧等を供給する。
【００１５】
３はスイッチ検出回路を示す。このスイッチ検出回路３は電源スイッチ、カメラの背蓋（フィルム装填スペースの開閉蓋）の開閉スイッチ、撮影レンズのズームスイッチおよびレリーズスイッチ等の状態を検出する。
【００１６】
４は水晶等の原振発振器を有したクロック発生回路を示す。このクロック発生回路４は後述するマイコンにクロック信号を与える。５はフィルムの感度情報をフィルムのパトローネケースに表示されたコードから読み取るフィルム感度検出回路を示す。
【００１７】
６は電池残量を検出する残量検出回路である。７は１チップマイコンを示す。このマイコン７は、ＣＰＵやＲＯＭ、ＲＡＭ等のメモリーおよびＡ／Ｄコンバータ回路１７３を含み、カメラのシーケンスの制御を行なう。８は撮影被写体の輝度情報を得るための測光回路を示す。９は被写体の距離情報を得るための測距回路を示す。
【００１８】
１０はレンズの駆動を行ない焦点合せを行なうレンズ駆動回路を示す。１１はシャッター回路を示す。このシャッター回路１１は、測光回路８およびフィルム感度検出回路５からの情報に基づいてマイコン７により演算された露出をフィルムに与える。
【００１９】
１２はフィルム装填時の巻上げ、撮影駒の巻上げ、フィルム最終駒撮影後の巻戻し等、フィルム駆動を行なうフィルム駆動回路を示す。
【００２０】
１３は表示回路を示す。この表示回路１３は、撮影駒数や、スイッチ検出回路３に入力される撮影モードやストロボ装置の充電に関連する情報等を表示する。
【００２１】
２０はストロボ装置を示す。２１は電池１の電圧を昇圧するためのＤＣ／ＤＣコンバータ回路ブロックを示す。２２は電流制限回路（請求の範囲にいう電流制限手段）を示す。２３は後述する主コンデンサの電圧を検出する電圧検出回路を示す。この電圧検出回路２３は、電圧情報をマイコン７に与える。
【００２２】
２４は発光起動回路を示す。この発光起動回路２４は、放電管２５に発光を行なわせるためのトリガ電圧を与える。２６は主コンデンサを示す。この主コンデンサ２６は、ＤＣ／ＤＣコンバータ回路２１の出力により充電される。
【００２３】
２７は電池の種類、すなわちカメラに装填された電池が１次電池か２次電池かを判別する電池判別回路（請求の範囲にいう電池判別手段）を示す。なお、電池判別回路２７は、１次電池と２次電池のカートリッジの形状の違いをスイッチ機構により検出するものであり、スイッチ機構についてはどのような形態のものでもよい。
【００２４】
ここで、ストロボ装置２０の電気回路の具体的構成について図４を用いて説明する。この図において、１０１は電池１と並列に挿入される電源コンデンサ、１０２，１０３は発振トランジスタ１０４のベース−エミッタ間に並列に接続される抵抗およびコンデンサを示す。
【００２５】
１０５は発振トランジスタ１０４のベース電流を制御するためのスイッチ素子を示す。１０６は抵抗を示す。この抵抗１０６はスイッチ素子１０５の制御電極と電池負極間に接続される。
【００２６】
１０７はダイオードを示す。このダイオード１０７は、スイッチ素子１０５に接続される。１０８は発振トランスを示す。この発振トランス１０８の１次巻線Ｐは発振トランジスタ１０４のエミッタと電池負極に接続される。１０９は抵抗を示す。この抵抗１０９は発振トランス１０８のフィードバック巻線Ｆと電池負極に接続されている。
【００２７】
１１０は整流ダイオードを示す。この整流ダイオード１１０は、発振トランス１０８の２次巻線Ｓに発生する交流起電力を整流するように接続される。なお、抵抗１０２，コンデンサ１０３，抵抗１０６，発振トランジスタ１０４，スイッチ素子１０５，ダイオード１０７，１１０，発振トランス１０８は、図１に示すＤＣ／ＤＣ回路２１を構成し、マイコン７から接続端子ａにハイレベル信号が入力されることによりストロボ充電のための電池電圧の昇圧作動を行う。
【００２８】
１１２はスイッチ素子を示す。このスイッチ素子１１２は、抵抗１１１，１１３に直列に接続され、この直列回路が後述する主コンデンサに並列に接続される。なお、抵抗１１１，１１３およびスイッチ素子１１２は、図１に示す電圧検出回路２３を構成し、マイコン７から接続端子ａにハイレベル信号が入力されることにより作動し、検出電圧を接続端子ｂからマイコン７に送る。
【００２９】
１１４，１１６は抵抗、１１５はコンデンサ、１１７はサイリスタを示す。抵抗１１４はサイリスタ１１７のゲート電流を制限し、抵抗１１６およびコンデンサ１１５はサイリスタ１１７のゲート−カソード間に誤動作を防止するよう接続されている。１１８は抵抗を示す。この抵抗１１８は、トリガコンデンサ１１９をトリガコイル１２０の１次巻線Ｐを介して充電させるように構成されている。なお、抵抗１１４，１１６，１１８，コンデンサ１１５，１１９，サイリスタ１１７およびトリガコイル１２０は、図１に示す発光起動回路２４を構成し、マイコン７から接続端子ｃにハイレベルの発光信号が入力されることにより作動する。
【００３０】
１２１，１２２は抵抗、１２３はトランジスタを示す。抵抗１２１はベース電流制御用として、抵抗１２２はトランジスタ１２３の誤動作防止用としてトランジスタ１２３に接続されている。
【００３１】
１２４は充電電流検出用の抵抗を示す。この抵抗１２４は、コンデンサ１２５と並列に接続され、トランジスタ１２６のベース−エミッタ間に接続されている。トランジスタ１２６のコレクタはスイッチ素子１０５の制御電極に接続されている。なお、抵抗１２４およびトランジスタ１２６は、図１に示す電流制限回路２２を構成する。
【００３２】
次に、このように構成されたカメラの動作を図２のフローチャートを用いて説明する。カメラの電源スイッチ又はレンズバリア等に連動するスイッチからのＯＮ信号がスイッチ検出回路３に与えられると、このスイッチ検出回路３は、マイコン７を動作させるための信号をクロック発生回路４に与え、マイコン７の動作を開始させる。そして、マイコン７は所定の初期設定動作後、カメラの撮影シーケンス制御を実行する。
【００３３】
ステップ（図では、Ｓと略す）１では、マイコン７の動作のための初期設定等を行なう。なお、ここでは、レリーズボタンの半押し状態で入力されるＳＷ１信号の入力待ち状態から説明する。
【００３４】
ステップ２，３で、上記ＳＷ１信号の入力が検出されるとステップ４に進む。このステップ４では、残量検出回路６を通じて電池１の電池残量を検出する。
【００３５】
次に、ステップ５では、ステップ４で検出された電池残量が撮影に充分な状態であればステップ６に進み、不充分であればステップ１に戻る。
【００３６】
ステップ６では、測光回路８を通じて被写体の輝度を測定し、この測定結果とフィルム感度検出回路５からの情報とにより露出情報を演算する。
【００３７】
次に、ステップ７では、測距回路９を通じて被写体距離を測定する。
【００３８】
ステップ８では、ステップ６での演算により得られた露出情報により、被写体の輝度が所定の輝度より明るいか暗いかを判定し、明るければステップ１０に、暗ければステップ９に進む。
【００３９】
ステップ９では、図３に示すストロボ充電用サブルーチンを実行する。なお、このストロボ充電用サブルーチンについては後述する。
【００４０】
ステップ１０では、スイッチ検出回路３により、撮影を行なうためのレリーズボタンの全押し状態で入力されるＳＷ２信号の入力待ちを行ない、ＳＷ２信号の入力を検出するとステップ１１に進む。
【００４１】
ステップ１１では、ステップＳ６での距離情報に応じて合焦位置にレンズを移動させる。
【００４２】
続いてステップ１２では、ステップ６での露出情報に基づいてシャッターを制御し、露光を行なう。なお、このとき、ストロボ発光が必要な条件では、ストロボ撮影に適した絞りを設定するとともに、ストロボ電気回路の接続端子ｃにハイレベルの発光信号を与えてストロボ発光させる。
【００４３】
次に、ステップ１３では、露光が終了するとレンズを初期の所定位置に戻す。そして、ステップ１４では、撮影された１駒分のフィルム巻上げを行なう。
【００４４】
さらに、ステップ１５では、ステップ１２においてストロボ発光が行なわれたか否かを判別し、ストロボ発光が行われた場合には、ステップ１６に進んで、ステップ９で実行されるサブルーチンを実行してストロボ充電を行なう。こうして撮影シーケンス制御が終了すると、初期化状態に戻る。
【００４５】
次に、図３のフローチャートを用いてストロボ充電用サブルーチンについて説明する。まず、ステップ１０１，１０２では、電池判別回路２７を通じて電池１が２次電池か１次電池かを判別する。２次電池であればステップ１０３に進み、１次電池であればステップＳ１０４に進む。
【００４６】
ステップ１０３において、電流切換手段としてのマイコン７は、図４に示した接続端子ｄに電流制限回路２２を作動させるためのローレベル信号を与え（ｄ＝０）、ステップ１０５に進む。
【００４７】
ステップ１０４では、接続端子ｄに電流制限回路２２を非作動とするためのハイレベル信号を与え（ｄ＝１）、ステップ１０５に進む。
【００４８】
ステップ１０５では、ストロボ充電を行なう前に充電打切り用のタイマーをセットし、作動させる。タイマー時間は一般的に１０〜２０秒程度に設定すればよい。
【００４９】
ステップ１０６では、ストロボ充電を行なわせるために図４に示す接続端子ａにハイレベル信号を出力する。
【００５０】
次に、ステップ１０７では、上記接続端子ａに入力されたハイレベル信号により作動した電圧検出回路２３からの出力を接続端子ｂを介してマイコン７のＡ／Ｄコンバータ１７３に入力し、この出力データと、所定の電圧データ（ここではフル充電状態である約３３０Ｖに対応するデータ）とを比較し、充電完了前であればステップ１０８に進み、充電完了となるとステップＳ１０９，１１０に進む。
【００５１】
ステップ１０８では、ステップ１０５でスタートさせたタイマーが所定時間のカウントを終了したか否かを判定し、カウント終了前であれば、充電を継続させるためにステップ１０６に戻る。カウント終了であればステップ１１１，１１２に進む。
【００５２】
ステップ１１１，１１２では、接続端子ａにローレベル信号を入力し、ストロボ充電未完了状態でストロボ充電を停止させるともに電圧検出回路２３の出力を停止させ、さらにストロボ充電未完了であることを示すフラグを立てる。
【００５３】
一方、ステップ１０９，１１０では、ステップ１１１と同様に接続端子ａにローレベル信号を入力し、ストロボ充電未完了状態でストロボ充電を停止させるともに電圧検出回路２３の出力を停止させ、さらにストロボ充電完了であることを示すフラグを立てる。
【００５４】
こうして、充電用サブルーチンを終了すると、図２に示すメインルーチンのステップ１０に戻る。
【００５５】
次に、上記充電用サブルーチンの実行中における図４の回路の動作について説明する。電池判別回路２７が２次電池を検出した場合（ステップ１０２）には、接続端子ｄにはローレベル信号が与えられ（ステップ１０３）、トランジスタ１２３はオフ状態となる。この状態にて、ストロボ充電が行なわれるように接続端子ａにハイレベル信号が与えられると（ステップ１０６）、スイッチ素子１０５，１１２の制御電極もハイレベルとなり、スイッチ素子１０５，１１２は導通する。
【００５６】
スイッチ素子１０５のオンにより、電池１、トランジスタ１０４のベース−エミッタ、発振トランス１０８のフィードバック巻線Ｆおよび抵抗１０９のループで、発振トランジスタ１０４のベース電流が流れる。
【００５７】
これにより、トランジスタ１０４のコレクタには、ベース電流のｈFE倍の電流が発振トランス１０８の１次巻線Ｐを介して流れる。１次巻線中Ｐに流れる電流により２次巻線Ｓには誘導起電力が発生し、この電流が、ダイオード１１０、主コンデンサ２６、抵抗１２４（又はトランジスタ１２３）、電池１、発振トランジスタ１０４のベース−エミッタおよびスイッチ素子１０５のループで主コンデンサ２６に供給され、主コンデンサ２６を充電するとともに、発振トランジスタ１０４のベース電流として流れることで発振トランジスタ１０４は一瞬にして飽和状態となる。
【００５８】
ここで、主コンデンサ２６に供給される充電電流は抵抗１２４にも流れ、この抵抗１２４に発生する電位がトランジスタ１２６のベース−エミッタ間電圧ＶBEに達すると、トランジスタ１２６はオンとなり、接続端子ａのハイレベル信号をバイパスし、これをローレベルとする。
【００５９】
従って、スイッチ素子１０５は一時的にオンからオフとなり、これに伴って発振トランス１０８の２次側起電力の出力も一時的に停止する。これにより抵抗１２４に発生する電位が無くなるため、トランジスタ１２６はオフし、再びスイッチ素子１０５の制御電極に接続端子ａからのハイレベル信号が与えられ、スイッチ素子１０５は再びオンになる。そして、これが繰り返されることで、発振トランス１０８の発振動作が、後述する１次電池検出時よりも短い周期で行なわれる。
【００６０】
そして、この発振動作により、主コンデンサ２６の充電が行われ、電圧が上昇すると、接続端子ａからハイレベル信号が与えられているスイッチ素子１１２がオンしていることから、接続端子ｂには、抵抗１１１，１１３により分圧された電位が発生し、この電位がマイコン７のＡ／Ｄコンバータ１７３で検出される。そして、この電位が所定レベルに達すると、フル充電状態として検出され（ステップ１０７）、マイコン７から接続端子ａを介して与えられるハイレベル信号がローレベルとなって発振動作が停止する。
【００６１】
一方、電池判別回路２７が１次電池を検出した場合には、接続端子ｄにはハイレベルの信号が与えられるため（ステップ１０４）、抵抗１２１を介してトランジスタ１２３のベース電流が流れることから、トランジスタ１２３はオンとなって抵抗１２４とトランジスタ１２６のベース−エミッタ間を短絡するため、通常の周期で発振動作が行なわれる。
【００６２】
ここで、図５には、上記の発振動作に伴う電池電圧Ａ，Ａ′、発振トランス１０８の１次巻線Ｐに流れる電流Ｂ，Ｂ′、主コンデンサ２６の充電電流Ｃ，Ｃ′の変化を示している。図５（ａ）は１次電池使用時を示しており、図５（ｂ）は２次電池使用時を示している。
【００６３】
この図から分かるように、１次電池使用時の充電電流Ｃに比較して２次電池使用時の充電電流Ｃ′は、抵抗１２４とトランジスタ１２６により所定電流を最大として短い周期で断続される。このため、２次電池使用時の主コンデンサ２６の単位時間あたりの充電量は１次電池使用時に比べて少なくなり、２次電池使用時の充電時間は１次電池使用時に比べて伸びる結果となる。
【００６４】
図６は、発振トランス１０８の発振動作（主コンデンサ２６の充電）開始ｔ0 から主コンデンサ２６の充電完了ｔ1 （１次電池使用時），ｔ2 （２次電池使用時）までの電池１の供給電流Ｄと電池１の供給電圧Ｅの変化を示したもので、ｄ，ｅの実線波形が１次電池使用時を、ｄ′，ｅ′の破線波形が２次電池使用時を示している。
【００６５】
この図から分かるように、２次電池使用時には、電池１の供給電流ｄ′が抵抗１２４の抵抗値とトランジスタ１２６のベース−エミッタ間電圧ＶBEにより定まる電流値で制限される結果として、電池電圧ｅがほぼ１次電池使用時と同程度までしか低下しない。
【００６６】
電池１の供給電流ｄ′（ＩBatt）は、発振トランス１０８の１次巻線数をＮ1 、２次巻線数をＮ2 、抵抗１２４の抵抗値をＲ、トランジスタ１２６のベース−エミッタ間電圧をＶBEとすれば、おおよそ、
【００６７】
【数１】
0003927659.tif 000002
【００６８】
にて与えられる。
【００６９】
従って、電池１の低下制限電圧Ｖmin は、電池抵抗をＲBatt、開放電圧をＶBattとすれば、おおよそ、
【００７０】
【数２】
0003927659.tif 000003
【００７１】
にて与えられる。
【００７２】
従って、抵抗１２４の抵抗値を適当に設定することにより、２次電池の電圧低下を抑えることが可能となる。
【００７３】
（第２実施形態）
図７には、本発明の第２実施形態であるストロボ装置を示している。なお、本実施形態は、第１実施形態における図１に示したＤＣ／ＤＣコンバータ回路２１の具体的回路の変形例を示しており、他の回路については省略している。また、図４の回路と共通要素については同符号を付している。
【００７４】
２０１，２０２は抵抗を示している。これら抵抗２０１，２０２は、電池電圧を分圧するようトランジスタ２０３を介して電池１と並列に接続されている。２０４，２０５は抵抗およびコンデンサを示している。これら抵抗２０４およびコンデンサ２０５はトランジスタ２０３のベース−エミッタ間に並列に接続され、トランジスタ２０３の誤動作を防止している。２０６は抵抗を示し、この抵抗２０６はトランジスタ２０３のベース電流を制限するよう接続されている。２０７は図１の電源回路２より与えられる所定の基準電源Ｖref を示す。２０８はオープンコレクタのコンパレーターである。
【００７５】
本実施形態においては、電池判別回路２７を通じてマイコン７により、使用する電池１が１次電池であると判別されると接続端子ｄにローレベルの信号が与えられ、２次電池であると判別されると接続端子ｄにハイレベルの信号が与えられる。
【００７６】
２次電池と判別された場合には、接続端子ｄのハイレベル信号により抵抗２０６を介しトランジスタ２０３のベース電流が流れ、トランジスタ２０３はオン状態となる。この状態にて、発振トランス１０８に発振動作を行なわせるためのハイレベル信号が接続端子ａに入力されると、前述したようにスイッチ素子１０５の制御電極にハイレベルの信号が与えられてスイッチ素子１０５がオンになるため、電池１からトランジスタ１０４のベース−エミッタ間、スイッチ素子１０５、発振トランス１０８のフィードバック巻線Ｆおよび抵抗１０９を介して電流が流れる。これにより、トランジスタ１０４からベース電流のｈFE倍のコレクタ電流が発振トランス１０８の１次巻線Ｐを介して流れる。
【００７７】
このとき、２次巻線Ｓに発生する誘導起電力はダイオード１１０、主コンデンサ２６、電池１、発振トランジスタ１０４のベース−エミッタ間、スイッチ素子１０５を介するループで流れる。この電流は主コンデンサ２６に充電されると共に、発振トランジスタ１０４のベース電流となり、初期のベース電流に加算されるため、一瞬にて発振トランジスタ１０４は飽和状態となる。このとき、電池１から電流が流れることにより、電池電圧が低下する。
【００７８】
トランジスタ２０３のオン状態では、抵抗２０１と抵抗２０２により分圧された電圧がコンパレータ２０８に入力されており、抵抗２０１、抵抗２０２の抵抗値をそれぞれＲ201 ，Ｒ202 とすれば、コンパレータ２０８の入力電圧Ｖ+ は、
【００７９】
【数３】
0003927659.tif 000004
【００８０】
で与えられる。そして、コンパレータ２０８の他方の入力電力Ｖ- の電位Ｖref に対し、電池電圧ＶBattがＶ+ ＜Ｖ- にさせるようになった時点で、コンパレータはローレベル信号を発生し、スイッチ素子１０５の制御電極に与えられるハイレベル信号をバイパスすることでこれをローレベルとし、スイッチ素子１０５をオフさせる。このときの電池電圧ＶBatt minは、
【００８１】
【数４】
0003927659.tif 000005
【００８２】
で与えられ、この式に従い、電池電圧の低下が制限される。このことは、電池１の内部インピーダンスＲBattにより、電池電流ＩBattが、
【００８３】
【数５】
0003927659.tif 000006
【００８４】
として制限されることを示している。
【００８５】
電池１が１次電池と判別された場合には、接続端子ｄはローレベルとなり、トランジスタ２０３はオフし、コンパレータ２０８の一方の入力電圧Ｖ+ は電池電圧となり、他方の入力電圧Ｖ- はＶref となる。ここで、Ｖref を充分小さな値とすることで、電池１の電流制限がほとんどかからないように設定することが可能である。
【００８６】
なお、本実施形態では、電流制限回路２２を作動状態と実質的な非作動状態とを切り換える場合について説明したが、図７のＶref を適宜設定し、例えば大電流を取り出せない１次電池と２次電池の双方に対して異なる電流レベルでの電流制限をかけるようにしてもよい。
【００８７】
また、上記各実施形態では、カメラおよびストロボ装置について説明したが、本発明は、これら以外の電子機器にも適用することができる。
【００８８】
【発明の効果】
以上説明したように、本発明によれば、２次電池を使用する場合には、電池の供給電流を制限する等して電池の過放電により電池出力が遮断されてしまうのを防止できるとともに、１次電池を使用する場合には、上記のように２次電池使用時に有効な電流制限機能により１次電池の充電性能等を低下させてしまうのを防止できるので、使い勝手の良いストロボ装置等の電子機器を実現することができる。
【図面の簡単な説明】
【図１】本発明の第１実施形態であるカメラおよびストロボ装置の電気回路ブロック図である。
【図２】上記カメラの撮影動作のフローチャートである。
【図３】上記ストロボ装置における充電動作のフローチャートである。
【図４】上記ストロボ装置の電気回路の具体例を示す回路図である。
【図５】上記ストロボ装置の電池電圧、電池電流および主コンデンサ充電電流の変化を示すグラフ図である。
【図６】上記主コンデンサの充電開始から終了までの電池電流と電池電圧の変化を示すグラフ図である。
【図７】本発明の第２実施形態であるストロボ装置の電気回路図である。
【符号の説明】
１  電池
７  マイコン
２１  ＤＣ／ＤＣコンバータ回路
２２  電流制限回路
２５  放電管
２６  主コンデンサ
【図２】
0003927659.tif 000007
【図３】
0003927659.tif 000008
【図４】
0003927659.tif 000009
【図５】
0003927659.tif 000010
【図６】
0003927659.tif 000011
【図７】
0003927659.tif 000012
【図１】
0003927659.tif 000013